(57)【要約】      （修正有）【課題】室内外を問わず、また夜間の消灯した寝室内においても万華鏡を簡単に楽しむことができ、操作が容易な万華鏡を提供する。【解決手段】片側に覗き穴を形成した筒体の覗き穴の対向側に形成され、内部に多数の模様素材が移動自在に装入されており、しかも両側を透明若しくは半透明とした模様形成室と、該模様形成室に隣接して筒体および模様形成室と同軸上に取り付けられた光源部とからなる。【選択図】図１
0003157896.tif 000002
【実用新案登録請求の範囲】
【請求項１】
片側に覗き穴を形成した筒体の覗き穴の対向側に形成され、内部に多数の模様素材が移動自在に装入されており、しかも両側を透明若しくは半透明とした模様形成室と、該模様形成室に隣接して筒体および模様形成室と同軸上に取り付けられた光源部とからなる万華鏡。
【請求項２】
内面を鏡面とした断面が三角形以上の多角形をした筒状鏡を有するとともに、該筒状鏡の片側に覗き穴を形成した筒体と、該筒体の覗き穴対向側に形成され、内部に多数の模様素材が移動自在に装入されており、しかも両側を透明若しくは半透明とした模様形成室と、該模様形成室に隣接して筒体および模様形成室と同軸上に取り付けられた光源部とからなる万華鏡。
【請求項３】
模様形成室に隣接して取り付けられた光源部が、蓄電池と、模様形成室に向けて発光するＬＥＤ発光素子とからなるものである請求項１又は請求項２に記載の万華鏡。
【請求項４】
模様形成室に隣接して取り付けられた光源部が、有底円筒状で内部に蓄電池と、模様形成室に向けて発光するＬＥＤ発光素子を内蔵し、開口部を模様形成室に隣接して取り付け可能とした請求項１〜３のいずれか１に記載の万華鏡。
【請求項５】
有底円筒状をした開口側を模様形成室に隣接して取り付け可能とした光源部が、開口縁に模様形成室側に設けた螺条と螺合可能な対応螺条を形成してなり、模様形成室に対する光源部の螺入進行によりＬＥＤ発光素子の電源接触子が圧迫接触して点灯するとともに、螺入後退により電源接触子が離間して消灯するように構成された請求項１〜４のいづれか１に記載の万華鏡。
【請求項６】
模様形成室に隣接して取り付け可能とした有底円筒状の光源部が、底部付近を螺旋結合により光源部胴体に対して弛緩自在とし、光源部胴体に対する底部の螺入進行によりＬＥＤ発光素子の電源接触子が圧迫接触して点灯するとともに、螺入後退により電源接触子が離間して消灯するように構成した請求項１〜５のいずれか１に記載の万華鏡。
【考案の詳細な説明】
【技術分野】
【０００１】
本考案は、万華鏡の改良に関し、室内外を問わず、また夜間の消灯した寝室内においても簡単に楽しむことができるとともに、操作性を容易にすることを目的とする。
【背景技術】
【０００２】
万華鏡は古くから広く愛用されているが、その構造については概ね以下のようなものが知られている。たとえば内面を鏡面とした四角以上の多角形の筒状鏡を筒体内に入れるとともに、該筒体の一方の端部に覗き穴を設けるとともに、他方の端部に、内部に大小多数の着色粒体や人間、動物の顔等を収納した収納器を取り付けて該収納器内部を多角形の筒状鏡の対角線による区画壁によって区画するようにしたもの（実開平３−２４６２５号公報参照）が知られている。
【０００３】
また内部に平面鏡を配した筒体の一方に覗き穴を、また他方に内部に粘性のある油等の液体を充填するとともに多数の小片と球体等からなる模様素材を収納してなる透明筒状の収納室を、上記筒体に対して回動自在に取り付けることにより覗き窓から見える模様全体が明るく、鮮明な色彩を楽しむことができるようにしたもの（実開平５−２９０１８号公報参照）も知られている。
【先行技術文献】
【特許文献】
【０００４】
【特許文献１】実開平３−２４６２５号公報
【特許文献２】実開平５−２９０１８号公報
【考案の概要】
【考案が解決しようとする課題】
【０００５】
しかしながら、上記に例示した特許文献１あるいは特許文献２に開示された万華鏡をはじめとし、汎用のものにあっては、内部に大小多数の着色粒体や人間、動物の顔等を収納した収納器や多数の小片と球体等からなる模様素材を収納してなる透明筒状の収納室の少なくとも端面を透明もしくは半透明として、該部分からの入光を頼りに収納器や収納室内の各種模様素材の変化の態様を覗き窓穴から楽しむものであるため、室内の暗がりなどでは十分でかつ鮮明な模様の鑑賞ができず、特に夜間の消灯した寝室内等においては鑑賞が不能であるという課題があった。
【課題を解決するための手段】
【０００６】
上記の課題を解決するために、本考案においては室内外や周囲環境の明暗度を問わず簡易に楽しむことができるとともに、操作性を容易にしたものであって、具体的には片側に覗き穴を形成した筒体の覗き穴の対向側に形成され、内部に多数の模様素材が移動自在に装入されており、しかも両側を透明若しくは半透明とした模様形成室と、該模様形成室に隣接して筒体および模様形成室と同軸上に取り付けられた光源部とからなる万華鏡に関する。
【０００７】
また本考案は、内面を鏡面とした断面が三角形以上の多角形をした筒状鏡を有するとともに、該筒状鏡の片側に覗き穴を形成した筒体と、該筒体の覗き穴対向側に形成され、内部に多数の模様素材が移動自在に装入されており、しかも両側を透明若しくは半透明とした模様形成室と、該模様形成室に隣接して筒体および模様形成室と同軸上に取り付けられた光源部とからなる万華鏡にも関する。
【０００８】
本考案は、前記した模様形成室に隣接して取り付けられた光源部が、蓄電池と、模様形成室に向けて発光するＬＥＤ発光素子とからなるものであり、また模様形成室に隣接して取り付けられた光源部が、有底円筒状で内部に蓄電池と、模様形成室に向けて発光するＬＥＤ発光素子を内蔵し、開口部を模様形成室に隣接して取り付け可能とした万華鏡に関する。
【０００９】
また本考案は、有底円筒状をした開口側を模様形成室に隣接して取り付け可能とした光源部が、開口縁に模様形成室側に設けた螺条と螺合可能な対応螺条を形成してなり、模様形成室に対する光源部の螺入進行によりＬＥＤ発光素子の電源接触子が圧迫接触して点灯するとともに、螺入後退により電源接触子が離間して消灯するように構成された万華鏡にも関する。
【００１０】
さらに本考案は、模様形成室に隣接して取り付け可能とした有底円筒状の光源部が、底部付近を螺旋結合により光源部胴体に対して弛緩自在とし、光源部胴体に対する底部の螺入進行によりＬＥＤ発光素子の電源接触子が圧迫接触して点灯するとともに、螺入後退により電源接触子が離間して消灯するように構成した万華鏡にも関する。
【考案の効果】
【００１１】
本考案は上記したように、万華鏡の模様形成室に隣接して蓄電池と、模様形成室に向けて発光するＬＥＤ発光素子とからなる光源部が取り付けられているために、室内外を問わず、また周辺環境明暗度如何に関係なく、とくに夜間の消灯した寝室内においてもいちいち入射光の方向に向ける必要がなく、しかも暗闇であっても簡単に万華鏡による常に一定した鮮明でしかも変化に富む影像を簡単に楽しむことができる。
【００１２】
また開口部を模様形成室に隣接して取り付け可能とした光源部が、有底円筒状の開口縁に模様形成室側に設けた螺条と螺合可能な対応螺条を形成してなり、模様形成室に対する光源部の螺入進行によりＬＥＤ発光素子の電源接触子が接触して点灯するとともに、螺入後退により電源接触子が離間して消灯するように構成され、あるいは光源部が、底部付近を螺旋結合により光源部胴体に対して弛緩自在とし、光源部胴体に対する底部の螺入進行によりＬＥＤ発光素子の電源接触子が圧迫接触して点灯するとともに、螺入後退により電源接触子が離間して消灯するようにしたために、光源部の点灯・消灯について、スイッチなど余分な部品を取り付けることなく構造の簡素化により低コストで、かつ操作性を容易にすることができる。
【図面の簡単な説明】
【００１３】
【図１】本考案の一実施例である万華鏡の分解斜視図。
【図２】本考案の万華鏡により視認できる形成模様の一例をあらわした拡大図。
【図３】図１におけるＡーＡ線の拡大断面図。
【考案を実施するための形態】
【００１４】
以下において本考案の実施の形態について詳細に説明をする。図１は本考案に係る万華鏡の各部を分解してあらわしたもので、１は筒体、８は模様形成室、１０は光源部、２１は筒体１および模様形成室８と光源部１０とをそれぞれ同軸上に連結合させて取り付けるための結合部材を示す。筒体１は両端に蓋部材４および６を、それぞれの円筒フランジ４ａ・６ａをもって筒体１に嵌着し、一方の蓋部材６寄りの内部に透明の仕切材２をもって模様形成室８が形成されている。
【００１５】
なお図において５は透明板をはめ込んだ蓋部材４の覗き穴、７は蓋部材６の開口窓にはめ込まれた透明または半透明板をあらわし、この透明または半透明板７と既述した仕切り材２とによって模様形成室８を形成している。さらに該模様形成室８に隣接する筒体１の内部には内面を鏡面３ａ・３ｂ・３ｃ・・・とした断面が六角形をなした筒状鏡を有している。
【００１６】
また上記した片側に覗き穴５を形成した筒体１の覗き穴５の対向側に形成された模様形成室８内には種々の形状をした多数の模様素材９がそれぞれ移動自在に装入されている。なお上記の筒体１は、内部には内面を鏡面３ａ・３ｂ・３ｃ・・・とした断面が六角形をなした筒状鏡を有しているが、これ以外にも断面が三角以上の多角形の筒状鏡であればよく、また筒状鏡ではなく単に透明の仕切り材２について、これにその中心部を起点とした放射状の凹凸溝を形成することによって模様形成室８内の模様素材９の変位後の形態を多角的に反射して覗き穴５から放射状態にて視認できるものであればよい。
【００１７】
また光源部１０は両側を開口させた断面が円筒状をなし、光源部胴体１０ａの内部には支持部１５に支えられた非導電板１６がはめ込まれており、該非導電板１６の中心には導電端子１７および該端子と導通させたＬＥＤ発光素子１８が一方の開口部内に前記した模様形成室８側に向けて取り付けられている。さらに光源部胴体１０ａの他方の開口部には螺条１１が形成されているとともに、この螺条１１に螺合可能な対向螺状１４を有する円筒フランジ１３を備えた底部１２が設けられており、さらに底部１２の内面中央には導電端子１９が形成されている。
【００１８】
なお図において２０ａ・２０ｂ・２０ｃは導電端子１７と１９間に配置したボタン型の蓄電池であり、底部１２をその円筒フランジ１３により光源部胴体１０ａに螺旋結合することにより光源部胴体１０ａに対して弛緩自在とし、光源部胴体１０ａに対する底部１２の螺入進行によりＬＥＤ発光素子１８の電源接触子１７が蓄電池２０ｃに圧迫接触して点灯するとともに、螺入後退により電源接触子１７が蓄電池２０ｃから離間して消灯するように構成されている。
【００１９】
なお２１は筒体１および模様形成室８と光源部１０とをそれぞれ同軸上に連結合させて取り付けるための結合部材であって、該結合部材２１はゴムやウレタン等の弾性体により構成されており、片側に筒体１の円筒フランジ６ａを圧入可能な凹部２２を、また反対側には光源部胴体１０ａの少なくとも一部を圧入可能な凹部２３が形成されており、これにより筒体１および模様形成室８と、該模様形成室８に隣接する光源部１０とが同軸上に取り付けられる。なお２４は通孔をあらわしている。
【００２０】
また上記の実施例のほかに、結合部材２１を介在させることなく、光源部１０が、その片側開口縁に模様形成室８側に設けた螺条と螺合可能な対応螺条を形成し、模様形成室８に対する光源部１０の螺入進行によりＬＥＤ発光素子の電源接触子が圧迫接触して点灯するとともに、螺入後退により電源接触子が離間して消灯するように構成してもよい。
【００２１】
上記した実施例の構成において、結合部材２１の片側凹部２２内に筒体１の円筒フランジ６ａを圧入保持させるとともに、反対側の凹部２３内に光源部１０の光源部胴体１０ａの先端部を圧入保持させて一体化することにより筒体１および模様形成室８と、該模様形成室８に隣接する光源部１０とが同軸上にあるように構成する。
【００２２】
この状態において、光源部１０の底部１２を回転させると、円筒フランジ１３の螺状１４が光源部胴体１０ａ側に施した螺状１１に沿って螺入進行し、蓄電池２０ｃが電源接触子１７に接してＬＥＤ発光素子１８を点灯させ、その結果除き穴５から覗いた場合に、ＬＥＤ発光素子１８の光が結合部材２１の通孔２４を通って模様形成室８の裏側に位置する透明又は半透明板７に照射される。
【００２３】
したがって模様形成室８内の多数の模様素材９の変位後における放射状の模様態様が透明または半透明板７を介してバックライトとして照明されることにより、如何なる場所、如何なる環境下においても例えば図２にもあらわしたような態様にて鮮明にしかも明瞭に視認することができる。
【符号の説明】
【００２４】
１        筒体
２        透明の仕切材
３        鏡面
４        蓋部材
４ａ      円筒フランジ
５        覗き穴
６        蓋部材
６ａ      円筒フランジ
７        透明または半透明板
８        模様形成室
９        模様素材
１０      光源部
１０ａ    光源部胴体
１１      螺状
１２      底部
１３      円筒フランジ
１４      螺状
１５      支持部
１６      非導電板
１７      電源接触子
１８      ＬＥＤ発光素子
１９      導電端子
２０      蓄電池
２１      結合部材
２２      凹部
２３      凹部
２４      通孔
【図１】
0003157896.tif 000003
【図２】
0003157896.tif 000004
【図３】
0003157896.tif 000005